(57)【要約】【課題】  内線電話機毎の発信履歴を一括で順次表示できるようにすると共に、自内線電話機に他の内線電話機の発信履歴も表示できるようにする。【解決手段】  外線発信したときに該発信の相手先情報および該発信に応じた時刻情報ならびに該発信を行った発信電話機情報を順次記憶する発信履歴記憶手段Ｆ３５と、自己内線電話機の発信履歴を表示する自己発信履歴判定手段Ｆ３７／自己発信履歴表示制御手段Ｆ３８と、他の内線電話機の発信履歴を表示する他発信履歴判定手段Ｆ３９／他発信履歴表示制御手段Ｆ４０と、全ての発信履歴を表示する全発信履歴表示制御手段Ｆ４１を備えた。【選択図】      図２
2006025324.tif 000002
【特許請求の範囲】
【請求項１】
１以上の外線および複数の内線を収容する構内電話交換装置と、前記内線に接続される電話装置とからなる構内電話設備における発信履歴表示方法であって、
前記構内電話交換装置は、発信履歴記憶手段を有し、
前記外線に発信したときに該外線発信の相手先情報および該外線発信に応じた時刻情報ならびに該外線発信を行った発信電話装置情報を前記発信履歴記憶手段に順次記憶する発信履歴記憶処理と、
前記電話装置による自己の発信履歴を表示する表示要求操作を検出すると前記発信履歴記憶手段に記憶されている発信電話装置情報と自己電話装置情報が一致するか否かを判定する自己発信履歴判定処理と、前記自己発信履歴判定処理が一致したと判定したときに対応する相手先情報および時刻情報を順次表示する自己発信履歴表示制御処理と、
前記電話装置による自己以外の電話装置の発信履歴を表示する表示要求操作を検出すると前記発信履歴記憶手段に記憶されている発信電話装置情報と自己以外の電話装置情報が一致するか否かを判定する他発信履歴判定処理と、前記他発信履歴判定処理が一致したと判定したときに対応する相手先情報および時刻情報を順次表示する他発信履歴表示制御処理を有することを特徴とする発信履歴表示方法。
【請求項２】
請求項１記載の発信履歴表示方法であって、
前記電話装置による全ての発信履歴を表示する表示要求操作を検出すると前記発信履歴記憶手段に記憶されている相手先情報および時刻情報ならびに発信電話装置情報を順次表示する全発信履歴表示制御処理を有することを特徴とする発信履歴表示方法。
【請求項３】
１以上の外線および複数の内線を収容するボタン電話主装置と、前記内線に接続されるボタン電話機とからなるボタン電話装置において、
前記外線に発信したときに該外線発信の相手先情報および該外線発信に応じた時刻情報ならびに該外線発信を行った発信ボタン電話機情報を順次記憶する発信履歴記憶手段と、
前記ボタン電話機による自己の発信履歴を表示する表示要求操作を検出すると前記発信履歴記憶手段に記憶されている発信ボタン電話機情報と自己ボタン電話機情報が一致するか否かを判定する自己発信履歴判定手段と、前記自己発信履歴判定手段が一致したと判定したときに対応する相手先情報および時刻情報を順次表示する自己発信履歴表示制御手段と、
前記ボタン電話機による自己以外のボタン電話機の発信履歴を表示する表示要求操作を検出すると前記発信履歴記憶手段に記憶されている発信ボタン電話機情報と自己以外のボタン電話機情報が一致するか否かを判定する他発信履歴判定手段と、前記他発信履歴判定手段が一致したと判定したときに対応する相手先情報および時刻情報を順次表示する他発信履歴表示制御手段を備えたことを特徴とするボタン電話装置。
【請求項４】
請求項３記載のボタン電話装置において、
前記ボタン電話機による全ての発信履歴を表示する表示要求操作を検出すると前記発信履歴記憶手段に記憶されている相手先情報および時刻情報ならびに発信ボタン電話機情報を順次表示する全発信履歴表示制御手段を備えたことを特徴とするボタン電話装置。
【発明の詳細な説明】
【技術分野】
【０００１】
本発明は、構内電話設備において、外線発信した相手先電話番号を記憶し、外線を切った後、発信履歴を表示する発信履歴表示方法および発信履歴表示機能を備えたボタン電話装置に関する。
【背景技術】
【０００２】
従来より、家庭や事業所等で使用される電話装置には、発信履歴を記憶および表示する機能を備えたものがある。発信履歴とは、外線発信の相手先電話番号ならびにそれらのあった日付および時刻等の情報のことであり、外線を切った後、発信履歴を表示させ特定操作を行うことにより、その記憶されている相手先電話番号に自動的に再発信する機能に利用される。
【０００３】
多機能電話機の再発信の方式としては、複数の再発信可能な相手先電話番号を表示させて、選択した相手先電話番号に再発信すると共に、今回発信した電話番号を最新の電話番号として再登録させる制御をおこなうことが開示されている（例えば、特許文献１参照）。
【０００４】
しかし、これは単独で使用される電話装置を前提とした内容であって、事業所等で使用される構内電話設備（以下、電話システムまたはボタン電話装置ともいう。）を構成する構内電話交換装置（以下、ＰＢＸまたはボタン電話主装置ともいう。）と、その内線に収容される電話装置（以下、内線電話機またはボタン電話機ともいう。）へ適用する場合については、開示されていないという問題がある。
【０００５】
前述した問題を解消するため、ＰＢＸに内線電話機に対応した発信履歴を複数記憶しておき、内線電話機の操作により必要な発信履歴を表示できるようにした構成が開示されている（例えば、特許文献２参照）。
【０００６】
しかし、内線電話機毎に発信履歴記憶部が必要であり、電話システムで発信した全ての発信履歴を一括で順次表示させることができない問題があった。また、他の内線電話機の発信履歴を見たい場合には、当該他の内線電話機の設置場所に行き、当該他の内線電話機を操作して発信履歴を表示する必要があった。
【特許文献１】特開平２−２２３２６２号公報
【特許文献２】特開平５−１７６０３８号公報
【発明の開示】
【発明が解決しようとする課題】
【０００７】
解決しようとする問題点は、内線電話機毎の発信履歴を一括で順次表示できるようにすると共に、自内線電話機に他の内線電話機の発信履歴も表示できるようにすることである。
【課題を解決するための手段】
【０００８】
上記課題を解決するために、本発明は、１以上の外線および複数の内線を収容する構内電話交換装置と、前記内線に接続される電話装置とからなる構内電話設備において、
前記外線に発信したときに該外線発信の相手先情報および該外線発信に応じた時刻情報ならびに該外線発信を行った発信電話装置情報を順次記憶する発信履歴記憶手段と、
前記電話装置による自己の発信履歴を表示する表示要求操作を検出すると前記発信履歴記憶手段に記憶されている発信電話装置情報と自己電話装置情報が一致するか否かを判定する自己発信履歴判定手段と、前記自己発信履歴判定手段が一致したと判定したときに対応する相手先情報および時刻情報を順次表示する自己発信履歴表示制御手段と、
前記電話装置による自己以外の電話装置の発信履歴を表示する表示要求操作を検出すると前記発信履歴記憶手段に記憶されている発信電話装置情報と自己以外の電話装置情報が一致するか否かを判定する他発信履歴判定手段と、前記他発信履歴判定手段が一致したと判定したときに対応する相手先情報および時刻情報を順次表示する他発信履歴表示制御手段を備えた。
【０００９】
また、本発明は、前記電話装置による全ての発信履歴を表示する表示要求操作を検出すると前記発信履歴記憶手段に記憶されている相手先情報および時刻情報ならびに発信電話装置情報を順次表示する全発信履歴表示制御手段を備えた。
【発明の効果】
【００１０】
本発明によれば、外線発信を行ったとき、発信履歴記憶部に該外線発信の相手先情報および時刻情報を記憶すると共に、該外線発信を行った発信内線電話機情報（内線番号情報または内線収容位置情報）を記憶し、それを外線発信が発生する毎に順次一括で記憶していくことにより、内線電話機毎に分割して記憶する必要がなくなり、自己発信履歴と他内線電話機の発信履歴の全てを表示できるようになる。
【００１１】
また、本発明によれば、発信履歴を表示するときには、内線電話機の操作により、
Ａ：自己内線電話機の発信履歴を表示、
Ｂ：他内線電話機の発信履歴を表示、
Ｃ：全ての発信履歴を表示、
のいずれかの表示方法を選択することができ、利用者の様々な運用方法に対応できる著しい効果がある。
【発明を実施するための最良の形態】
【００１２】
以下、本発明の実施形態の一例について説明する。なお、以下の実施形態では、ボタン電話装置としてボタン電話主装置と該ボタン電話主装置に接続された有線式ボタン電話機を例にあげて説明する。しかし、本発明はこれに限定されない。例えば、有線式ボタン電話機の代わりに無線式ボタン電話機を用いることができる。また、本発明は、ボタン電話装置で実施するだけでなく、ボタン電話機を収容する構内交換機で実施しても良い。
【００１３】
なお、本明細書においては、構内電話交換装置とは、ＰＢＸ（構内電話交換機）またはボタン電話主装置もしくはＩＰ電話におけるサーバなどをいい、電話装置とは、内線電話機またはボタン電話機もしくはＩＰ電話機などをいい、構内電話設備とは、構内電話交換システムまたはボタン電話装置もしくはＩＰ電話システムなどをいう。
【００１４】
図１は、本発明に係るボタン電話装置を構成するボタン電話主装置１０と、ボタン電話機２０の構成概略図である。図２は、本発明に係るボタン電話主装置１０の中央制御部１１と、記憶部１６の機能ブロック図である。図３は、本発明に係るボタン電話主装置１０の記憶部１６内の発信履歴記憶手段への発信履歴の記憶処理のフローチャートである。図４は、本発明に係るボタン電話主装置１０の中央制御部１１内の自己発信履歴判定手段と自己発信履歴表示制御手段における処理のフローチャートである。図５は、本発明に係るボタン電話主装置１０の中央制御部１１内の他発信履歴判定手段と他発信履歴表示制御手段における処理のフローチャートである。図６は、本発明に係るボタン電話主装置１０の中央制御部１１内の全発信履歴表示制御手段における処理のフローチャートである。
【００１５】
まず、図１を用いてボタン電話装置を構成するボタン電話主装置１０と、ボタン電話機２０の構成の概要を説明する。ボタン電話装置は、１以上の外線および複数の内線を収容するボタン電話主装置１０と、該ボタン電話主装置１０に接続された複数のボタン電話機２０−１〜２０−ｎから構成される。
【００１６】
ボタン電話主装置１０は、少なくとも、中央制御部１１と、通話路スイッチ１２と、１以上の外線回路１３−１〜１３−ｎと、リアルタイムクロック１４と、複数の内線回路１５−１〜１５−ｎと、記憶部１６を有して構成される。
【００１７】
中央制御部１１は、ボタン電話主装置１０の各回路からの入力情報（ボタン電話機２０からの情報も含む）に対する解析や判断、記憶部１６に対する情報の入出力、各回路の制御を行う。
【００１８】
通話路スイッチ１２は、ボタン電話主装置１０内の交換処理（外線と内線の接続、他）を行う。
【００１９】
外線回路１３−１〜１３−ｎは、外線に接続されるインタフェース回路である。なお、本発明で開示している外線とは、一般公衆回線、ＩＰ電話事業者の回線、専用線、私設線、携帯電話等の無線使用回線（無線／有線変換アダプタ使用）、等も含まれる。
【００２０】
リアイルタイムクロック１４は、いわゆる時刻回路であり、中央制御部１１よりの時刻出力要求を受け、現時点の年月日時刻を出力する回路である。なお、本実施例では時刻回路として説明するが、中央制御部１１内のプログラム処理により時刻情報を処理すれば、本回路を別途設ける必要はないことは自明である。
【００２１】
内線回路１５−１〜１５−ｎは、ボタン電話機２０−１〜２０−ｎと音声データ、制御データの通信を行うためのインタフェース回路である。
【００２２】
記憶部１６は、通常の記憶部としての働きの他に、発信履歴記憶手段として外線発信の相手先情報および該外線発信に応じた時刻情報ならびに該外線発信を行ったボタン電話機の情報（発信電話機情報）が記憶される。
【００２３】
また、ボタン電話機２０は、少なくとも、制御部２１と、データ送受信回路２２と、音声処理部２３と、送受話器２４と、スピーカ２５と、ダイヤルキー２６と、外線キー２７と、機能キー２８と、ＬＣＤ表示器２９を有して構成される。
【００２４】
制御部２１は、ボタン電話機２０内の各回路からの入力情報に対する解析や判断、各回路の制御を行う。
【００２５】
データ送受信回路２２は、内線を介してボタン電話主装置１０と音声データ、制御データの通信を行うためのインタフェース回路である。
【００２６】
音声処理部２３は、音声のデジタル／アナログ変換、アナログ／デジタル変換と、ボタン電話機２０内の送受話器２４やスピーカ２５等との通話路切替および音量を制御する。
【００２７】
送受話器２４は、一般的な通話時の送話、受話を行うためのハンドセットである。
【００２８】
スピーカ２５は、着信音の送出や、拡声受話の聴取等に使用する。
【００２９】
ダイヤルキー２６は、電話番号を入力する手段であり、また、各種設定の入力手段としても用いられる。本実施例では、他ボタン電話機２０の発信履歴を表示するとき、他ボタン電話機２０の内線番号指定手段としても使用される。
【００３０】
外線キー２７は、複数ある外線から使用したい外線を選択するための複数のボタンである。
【００３１】
機能キー２８は、ボタン電話装置で一般的に使用する“保留”ボタン、“拡声受話”ボタン、“設定”ボタン、および発信履歴の表示要求操作に使用する、
Ａ：自己の発信履歴を表示する表示要求操作に使用する“マイ発信履歴”ボタン、
Ｂ：他ボタン電話機の発信履歴を表示する表示要求操作に使用する“他ＴＥＬ履歴”ボタン、
Ｃ：全ての発信履歴を表示する表示要求操作に使用する“全発信履歴”ボタン、
等により構成される（各ボタンは図示していない）。
【００３２】
なお、Ｂ：他ボタン電話機の発信履歴を表示する表示要求操作に使用する“他ＴＥＬ履歴”ボタンを押下した後は、ダイヤルキー２６を操作し、他ボタン電話機の内線番号を入力することにより、他ボタン電話機を特定する。また、前述したＡ：ないしＣ：は、各ボタン電話機に全て設ける必要はなく、当該ボタン電話機を使用する利用者の好みにより、Ａ：のみを設けたり、あるいはＡ：とＢ：の２つを設けたり、その組み合わせは自由に行って良い。
【００３３】
また、本実施例では、表示要求操作を前述したＡ：ないしＣ：のように独立したボタンを使用することで説明しているが、他の実施形態、例えば、ＬＣＤ表示器２９にメニュー表示として、Ａ：ないしＣ：を３行分表示しておき、その各行について上下を指定するキー（いわゆるスクロールキー）で選択し、決定する構成としても良い。
【００３４】
ＬＣＤ表示器２９は、電話番号、通話時間等を表示する。また、前述した発信履歴の表示要求操作に基づき、前述したＡ：ないしＣ：の各発信履歴を表示する。
【００３５】
次に、本発明に係るボタン電話主装置１０の中央制御部１１と記憶部１６の機能構成を、図２を用いて説明する。ボタン電話主装置１０は、中央制御部１１が、少なくとも、外線回路制御手段Ｆ３０と、時刻取得手段Ｆ３１と、通話路制御手段Ｆ３２と、データ送受信手段Ｆ３３と、外線発信制御手段Ｆ３４と、受信分析手段Ｆ３６と、自己発信履歴判定手段Ｆ３７と、自己発信履歴表示制御手段Ｆ３８と、他発信履歴判定手段Ｆ３９と、他発信履歴表示制御手段Ｆ４０と、全発信履歴表示制御手段Ｆ４１とを有し、記憶部１６に発信履歴記憶手段Ｆ３５を有して構成される。
【００３６】
外線回路制御手段Ｆ３０は、外線発信、外線着信の制御を行い、外線発信制御手段Ｆ３４より外線発信の通知を受けると、外線回路１３を発信状態にする指示を出す機能を有している。
【００３７】
時刻取得手段Ｆ３１は、リアルタイムクロック１４を制御し現時点の年月日時刻を取得し、外線発信制御手段Ｆ３４へ時刻情報を通知する機能を有している。
【００３８】
通話路制御手段Ｆ３２は、外線発信制御手段Ｆ３４よりの通知で、外線発信したボタン電話機２０に対応する内線回路１５と該外線回路１３間の通話路を接続する指示を通話路スイッチ１２へ出す機能を有している。
【００３９】
データ送受信手段Ｆ３３は、ボタン電話機２０より内線回路１５を経由して受信したデータを受信分析手段Ｆ３６へ通知する。また、データ送受信手段Ｆ３３は、外線発信制御手段Ｆ３４より通知された外線発信を行ったボタン電話機２０のＬＣＤ表示器２９への相手先情報の可視表示情報と、外線キー２７に付随しているＬＥＤ表示器（図示していない。）への外線発信中の可視表示情報を内線回路１５経由でボタン電話機２０へ送出する機能を有している。
【００４０】
また、データ送受信手段Ｆ３３は、自己発信履歴表示制御手段Ｆ３８、他発信履歴表示制御手段Ｆ４０、および全発信履歴表示制御手段Ｆ４１より通知された発信履歴表示情報をボタン電話機２０のＬＣＤ表示器２９への発信履歴の可視表示情報を内線回路１５経由でボタン電話機２０へ送出する機能を有している。
【００４１】
外線発信制御手段Ｆ３４は、受信分析手段Ｆ３６より外線発信の通知を受けると、外線回路制御手段Ｆ３０へ外線発信を通知し、通話路制御手段Ｆ３２へ外線発信したボタン電話機２０に対応する内線回路１５と該外線回路１３間の通話路接続を通知すると共に、記憶部１６の発信履歴記憶手段Ｆ３５へ時刻取得手段Ｆ３１より通知された時刻情報と当該外線発信の相手先情報と外線発信を行ったボタン電話機２０の発信電話機情報（内線電話番号）を順次記憶させる機能を有している。なお、この状態では外線通話中に移行するため、データ送受信手段Ｆ３３へ外線発信を行ったボタン電話機２０のＬＣＤ表示器２９への相手先情報の可視表示情報と、外線キー２７に付随しているＬＥＤ表示器（図示していない。）への外線発信中の可視表示情報を通知する機能を有している。
【００４２】
また、発信履歴記憶手段Ｆ３５への時刻情報と発信電話機情報の記憶に関し、本実施例では、外線発信を行った時点で説明しているが、ボタン電話装置では外線発信し、当該外線通話を他のボタン電話機に転送することもありえるため、当該外線通話を終了した時点で、時刻情報と発信電話機情報を記憶するようにしても良い。
【００４３】
発信履歴記憶手段Ｆ３５は、外線発信制御手段Ｆ３４より発信履歴情報として、発信電話機情報（発信ボタン電話機情報）、相手先情報、時刻情報が記憶される。記憶されている発信履歴情報は、自己発信履歴判定手段Ｆ３７、自己発信履歴表示制御手段Ｆ３８、他発信履歴判定手段Ｆ３９、他発信履歴表示制御手段Ｆ４０、全発信履歴表示制御手段Ｆ４１より参照される。また、記憶領域として、１〜ｎ（ｎは内線数見合いで任意に設定して良い、内線数が１０台程度であればｎ＝５００件程度が目安となる。）を確保している。
【００４４】
受信分析手段Ｆ３６は、データ送受信手段Ｆ３３より通知されたボタン電話機２０よりの受信データを分析し、いずれかのボタン電話機２０が外線発信操作を行ったことを検出すると外線発信制御手段Ｆ３４へ外線発信を通知する。また、ボタン電話機が“マイ発信履歴”ボタンを押したことを検出すると自己発信履歴判定手段Ｆ３７へマイ発信履歴を通知し、ボタン電話機２０が“他ＴＥＬ履歴”ボタンを押し引き続き指定したい内線番号を押したことを検出すると他発信履歴判定手段Ｆ３９へ他ＴＥＬ履歴を通知し、ボタン電話機２０が“全発信履歴”ボタンを押したことを検出すると全発信履歴表示制御手段Ｆ４１へ全発信履歴を通知する機能を有している。
【００４５】
自己発信履歴判定手段Ｆ３７は、受信分析手段Ｆ３６よりマイ発信履歴の通知を受けると記憶部１６の発信履歴記憶手段Ｆ３５を参照し、発信電話機情報（内線電話番号）が、マイ発信履歴の操作を行ったボタン電話機２０の内線電話番号と一致するかの判定を行い、一致した場合は自己発信履歴表示制御手段Ｆ３８へ通知する。発信電話機情報が一致しない場合は、次の記憶領域について同様の処理を行う。なお、一致した件数が既定値（例えば、２０件）に達した場合には処理を終了する。
【００４６】
自己発信履歴表示制御手段Ｆ３８は、自己発信履歴判定手段Ｆ３７より一致の通知を受けると、対応する相手先情報と時刻情報を記憶部１６の発信履歴記憶手段Ｆ３５より読み取り発信履歴表示情報に編集し、データ送受信手段Ｆ３３へマイ発信履歴の操作を行ったボタン電話機２０のＬＣＤ表示器２９へ発信履歴の可視表示情報の送出を通知する。
【００４７】
他発信履歴判定手段Ｆ３９は、受信分析手段Ｆ３６より他ＴＥＬ履歴の通知を受けると記憶部１６の発信履歴記憶手段Ｆ３５を参照し、発信電話機情報（内線電話番号）が、他ＴＥＬ履歴で指定されたボタン電話機２０の内線電話番号と一致するかの判定を行い、一致した場合は他発信履歴表示制御手段Ｆ４０へ通知する。発信電話機情報が一致しない場合は、次の記憶領域について同様の処理を行う。なお、一致した件数が既定値（例えば、２０件）に達した場合には処理を終了する。
【００４８】
他発信履歴表示制御手段Ｆ４０は、他発信履歴判定手段Ｆ３９より一致の通知を受けると、対応する相手先情報と時刻情報を記憶部１６の発信履歴記憶手段Ｆ３５より読み取り、発信履歴表示情報に編集しデータ送受信手段Ｆ３３へ他ＴＥＬ履歴の操作を行ったボタン電話機２０のＬＣＤ表示器２９へ発信履歴の可視表示情報の送出を通知する。
【００４９】
全発信履歴表示制御手段Ｆ４１は、受信分析手段Ｆ３６より全発信履歴の通知を受けると、相手先情報と時刻情報と発信電話機情報を記憶部１６の発信履歴記憶手段Ｆ３５より読み取り発信履歴表示情報に編集し、データ送受信手段Ｆ３３へ全発信履歴の操作を行ったボタン電話機２０のＬＣＤ表示器２９へ発信履歴の可視表示情報の送出を通知する。
【００５０】
次に、図３を用いて、ボタン電話主装置１０の記憶部１６内の発信履歴記憶手段Ｆ３５への発信履歴の記憶の処理を説明する。図３は、外線発信制御手段Ｆ３４が受信分析手段Ｆ３６より外線発信の通知を受けたところから開始している。なお、図３から図６において、各ステップの順番は一例を示すものであり、要旨を変更しない範囲で任意に入れ替えても良い。
【００５１】
まず、外線発信の通知を受けた場合、外線発信を行ったボタン電話機２０の内線番号を発信電話機情報として編集データ（編集データとは、発信履歴記憶手段Ｆ３５へ記憶するための前段階として処理の中で一時的に使用しているデータをいう。以下、同じ。）を作成し（Ｓ５０）、ステップＳ５１へ引き継ぐ。
【００５２】
ステップＳ５１では、外線発信の相手先電話番号を相手先情報として編集データを作成する。次に、時刻取得手段Ｆ３１より取得した年月日時刻を時刻情報として編集データを作成し（Ｓ５２）、ステップＳ５３へ引き継ぐ。
【００５３】
ステップＳ５３では、発信履歴記憶手段Ｆ３５の最新位置ポインタを“＋１”しステップＳ５４へ引き継ぐ。最新位置ポインタとは、図３の右側に記載した［発信履歴記憶手段の構成例］に示すように、発信履歴記憶手段Ｆ３５は、発信履歴の記憶領域として１〜ｎ（ｎは内線数見合いで任意に設定して良い、内線数が１０台程度であればｎ＝５００件程度が目安となる。）を確保しており、最新の発信履歴が記憶された領域の位置を示すメモリ／カウンタである。なお、この最新位置ポインタは、１件目から順次“＋”されてゆき、ｎ件目まで到達すると次は、再度１件目に戻るように構成する。
【００５４】
ステップＳ５４とＳ５５では、前述した最新位置ポインタの戻し処理を行っている。すなわち、ステップＳ５３で“＋１”された最新位置ポインタの値を判定し、値が“ｎ＋１”になった場合（ステップＳ５４でＹｅｓ）は発信履歴の記憶領域を超えることになるため、最新位置ポインタの値を“１”にセットし（Ｓ５５）、ステップＳ５７へ引き継ぐ。最新位置ポインタの値が“ｎ＋１”にならない場合（ステップＳ５４でＮｏ）は、そのままステップＳ５７へ引き継ぐ。
【００５５】
ステップＳ５７では、最新位置ポインタに対応した記憶領域に、発信電話機情報、相手先情報、および時刻情報を書き込む。次に、外線発信処理（公知）を行い（Ｓ５８）処理を終了する。
【００５６】
次に、図４を用いてボタン電話主装置１０の中央制御部１１内の自己発信履歴判定手段Ｆ３７と自己発信履歴表示制御手段Ｆ３８の処理を説明する。図４は、受信分析手段Ｆ３６よりマイ発信履歴の通知を受けたところから開始している。まず、発信履歴記憶手段Ｆ３５の最新位置ポインタの値を取得し、演算用に一時記憶（以下、演算値ともいう。）しておく（Ｓ６０）。
【００５７】
次に、演算値が示す発信履歴記憶手段Ｆ３５の発信電話機情報を参照し、表示要求操作（マイ発信履歴）を行ったボタン電話機２０の電話機情報と一致するか否かの判定を行う（Ｓ６１）。一致しなかった場合（Ｎｏ）はステップＳ６３へ引き継ぐ。一致した場合（Ｙｅｓ）は、対応する発信履歴情報（相手先情報、時刻情報）を順次一時記憶し（Ｓ６２）、ステップＳ６３へ引き継ぐ。
【００５８】
ステップＳ６３では、演算値を“マイナス１”する。これは、最新の発信履歴から順次古い発信履歴を参照していくための処理である。次に、“マイナス１”した結果、演算値が“０”になったか否かの判定を行う（Ｓ６４）。“０”にならなかった場合（Ｎｏ）はステップＳ６６へ引き継ぐ。“０”になった場合（Ｙｅｓ）は演算値を“ｎ”にセットし（Ｓ６５）、ステップＳ６６へ引き継ぐ。
【００５９】
ステップＳ６６では、演算値と最新位置ポインタの値が一致するか否かの判定を行う。これは、発信履歴記憶手段Ｆ３５の記憶領域を全て参照したかの判定を行うための処理である。一致した場合（Ｙｅｓ）はステップＳ６９へ引き継ぐ。一致しなかった場合（Ｎｏ）は、演算値を一時記憶し（Ｓ６７）、ステップＳ６８へ引き継ぐ。
【００６０】
ステップＳ６８では、ステップＳ６２で順次一時記憶した発信履歴情報が既定値（例えば、２０件）に達したかの判定を行う。既定値に達した場合（Ｙｅｓ）はステップＳ６９へ引き継ぐ。既定値に達しない場合（Ｎｏ）は、ステップＳ６１へ引継、同様の処理を繰り返す。
【００６１】
ステップＳ６９では、ステップＳ６２で順次一時記憶した発信履歴情報をボタン電話機２０のＬＣＤ表示器２９へ表示できるように加工し、データ送受信手段Ｆ３３へ通知し処理を終了する。
【００６２】
次に、図５を用いてボタン電話主装置１０の中央制御部１１内の他発信履歴判定手段Ｆ３９と他発信履歴表示制御手段Ｆ４０の処理を説明する。図６は、受信分析手段Ｆ３６より他ＴＥＬ履歴の通知を受けたところから開始している。まず、発信履歴記憶手段Ｆ３５の最新位置ポインタの値を取得し、演算用に一時記憶（以下、演算値ともいう。）しておく（Ｓ７０）。
【００６３】
次に、演算値が示す発信履歴記憶手段Ｆ３５の発信電話機情報を参照し、他ＴＥＬ履歴で指定されたボタン電話機２０の電話機情報と一致するか否かの判定を行う（Ｓ７１）。一致しなかった場合（Ｎｏ）はステップＳ７３へ引き継ぐ。一致した場合（Ｙｅｓ）は、対応する発信履歴情報（相手先情報、時刻情報）を順次一時記憶し（Ｓ７２）、ステップＳ７３へ引き継ぐ。
【００６４】
ステップＳ７３では、演算値を“マイナス１”する。これは、最新の発信履歴から順次古い発信履歴を参照していくための処理である。次に、“マイナス１”した結果、演算値が０になったか否かの判定を行う（Ｓ７４）。“０”にならなかった場合（Ｎｏ）はステップＳ７６へ引き継ぐ。“０”になった場合（Ｙｅｓ）は演算値を“ｎ”にセットし（Ｓ７５）、ステップＳ７６へ引き継ぐ。
【００６５】
ステップＳ７６では、演算値と最新位置ポインタの値が一致するか否かの判定を行う。これは、発信履歴記憶手段Ｆ３５の記憶領域を全て参照したかの判定を行うための処理である。一致した場合（Ｙｅｓ）はステップＳ７９へ引き継ぐ。一致しなかった場合（Ｎｏ）は、演算値を一時記憶し（Ｓ７７）、ステップＳ７８へ引き継ぐ。
【００６６】
ステップＳ７８では、ステップＳ７２で順次一時記憶した発信履歴情報が既定値（例えば、２０件）に達したかの判定を行う。既定値に達した場合（Ｙｅｓ）はステップＳ７９へ引き継ぐ。既定値に達しない場合（Ｎｏ）は、ステップＳ７１へ引継、同様の処理を繰り返す。
【００６７】
ステップＳ７９では、ステップＳ７２で順次一時記憶した発信履歴情報を表示要求操作を行ったボタン電話機２０のＬＣＤ表示器２９へ表示できるように加工し、データ送受信手段Ｆ３３へ通知し処理を終了する。
【００６８】
次に、図６を用いてボタン電話主装置１０の中央制御部１１内の全発信履歴表示制御手段Ｆ４１の処理を説明する。図６は、受信分析手段Ｆ３６より全発信履歴の通知を受けたところから開始している。まず、発信履歴記憶手段Ｆ３５の最新位置ポインタの値を取得し、演算用に一時記憶（以下、演算値ともいう。）しておく（Ｓ８０）。
【００６９】
次に、演算値が示す発信履歴記憶手段Ｆ３５の発信履歴情報を参照し、対応する発信履歴情報（相手先情報、時刻情報、発信電話機情報）を順次一時記憶し（Ｓ８１）、ステップＳ８２へ引き継ぐ。
【００７０】
ステップＳ８２では、演算値を“マイナス１”する。これは、最新の発信履歴から順次古い発信履歴を参照していくための処理である。次に、“マイナス１”した結果、演算値が“０”になったか否かの判定を行う（Ｓ８３）。“０”にならなかった場合（Ｎｏ）はステップＳ８５へ引き継ぐ。“０”になった場合（Ｙｅｓ）は演算値を“ｎ”にセットし（Ｓ８４）、ステップＳ８５へ引き継ぐ。
【００７１】
ステップＳ８５では、演算値と最新位置ポインタの値が一致するか否かの判定を行う。これは、発信履歴記憶手段Ｆ３５の記憶領域を全て参照したかの判定を行うための処理である。一致した場合（Ｙｅｓ）はステップＳ８８へ引き継ぐ。一致しなかった場合（Ｎｏ）は、演算値を一時記憶し（Ｓ８６）、ステップＳ８７へ引き継ぐ。
【００７２】
ステップＳ８７では、ステップＳ８１で順次一時記憶した発信履歴情報が既定値（例えば、２００件）に達したかの判定を行う。既定値に達した場合（Ｙｅｓ）はステップＳ８８へ引き継ぐ。既定値に達しない場合（Ｎｏ）は、ステップＳ８１へ引継、同様の処理を繰り返す。
【００７３】
ステップＳ８８では、ステップＳ８１で順次一時記憶した発信履歴情報をボタン電話機２０のＬＣＤ表示器２９へ表示できるように加工し、データ送受信手段Ｆ３３へ通知し処理を終了する。
【００７４】
なお、ステップＳ８８で「順次一時記憶した発信履歴情報をボタン電話機２０のＬＣＤ表示器２９へ表示できるように加工し」とは、ＬＣＤ表示器２９が同時に何行分の表示が出来る構成にしているかによって異なり、例えば、同時に５行分の表示ができる構成とした場合、データ送受信手段Ｆ３３へ通知するのは、発信履歴情報のうち最初の５行分を通知するとの意味である。６行目以降の発信履歴情報は、図示していないが、ボタン電話機２０より次情報の表示操作が行われたときに通知する構成としている。（図４のステップＳ６９、図５のステップＳ７９も同じ。）
【図面の簡単な説明】
【００７５】
【図１】本発明に係るボタン電話主装置１０と、ボタン電話機２０の構成概略図。
【図２】本発明に係る中央制御部１１と、記憶部１６の機能ブロック図。
【図３】本発明に係るボタン電話主装置１０の記憶部１６内の発信履歴記憶手段Ｆ３５への発信履歴の記憶処理のフローチャート。
【図４】本発明に係るボタン電話主装置１０の中央制御部１１内の自己発信履歴判定手段Ｆ３７と自己発信履歴表示制御手段Ｆ３８における処理のフローチャート。
【図５】本発明に係るボタン電話主装置１０の中央制御部１１内の他発信履歴判定手段Ｆ３９と他発信履歴表示制御手段Ｆ４０における処理のフローチャート。
【図６】本発明に係るボタン電話主装置１０の中央制御部１１内の全発信履歴表示制御手段Ｆ４１における処理のフローチャート。
【符号の説明】
【００７６】
１０  ボタン電話主装置
１１  中央制御部
１２  通話路スイッチ
１３  外線回路
１４  リアルタイムクロック
１５  内線回路
１６  記憶部
２０  ボタン電話機
２１  制御部
２２  データ送受信回路
２３  音声処理部
２４  送受話器
２５  スピーカ
２６  ダイヤルキー
２７  外線キー
２８  機能キー
２９  ＬＣＤ表示器
Ｆ３０  外線回路制御手段
Ｆ３１  時刻取得手段
Ｆ３２  通話路制御手段
Ｆ３３  データ送受信手段
Ｆ３４  外線発信制御手段
Ｆ３５  発信履歴記憶手段
Ｆ３６  受信分析手段
Ｆ３７  自己発信履歴判定手段
Ｆ３８  自己発信履歴表示制御手段
Ｆ３９  他発信履歴判定手段
Ｆ４０  他発信履歴表示制御手段
Ｆ４１  全発信履歴表示制御手段
【図１】
2006025324.tif 000003
【図２】
2006025324.tif 000004
【図３】
2006025324.tif 000005
【図４】
2006025324.tif 000006
【図５】
2006025324.tif 000007
【図６】
2006025324.tif 000008